(57)【要約】【課題】装置本体の上面に設けられた指紋センサ等の生体認証機器への埃や塵の堆積を抑え、生体認証機器の認識率の低下を抑えたシート搬送装置を提供すること。【解決手段】シート搬送装置としてのスキャナ１００において、給紙トレイ１３０は、その端部がスキャナ１００本体に対して開閉自在に設けられ、該給紙トレイ１３０は、スキャナ１００本体に対する閉状態で、スキャナ１００本体に設けられたスイープ型指紋センサ１６０を覆うように構成されることを特徴とする。【選択図】図１
2011073834.tif 000002
【特許請求の範囲】
【請求項１】
装置本体の挿入口から挿入されるシートを搬送して前記装置本体の排出口から排出する搬送手段と、
前記装置本体に設けられる生体認証部と、
前記挿入口に挿入されるシートを載置する給紙トレイと、前記排出口から排出されるシートを積載する排紙トレイの少なくとも１つのトレイとを有し、
前記少なくとも１つのトレイは、その端部が前記装置本体に対して開閉自在に設けられ、前記装置本体に対する閉状態で、前記生体認証部を覆うことを特徴とするシート給送装置。
【請求項２】
前記生態認証機器を覆うように設けられるトレイは、前記装置本体の上面側に対する閉状態で前記生体認証部と対向する部分に、前記生体認証部を清掃する清掃部材を有することを特徴とする請求項１に記載のシート給送装置。
【請求項３】
前記双方のトレイを有する場合、前記いずれかのトレイは、前記閉じた他のトレイの上に折り畳んで閉じることが可能であることを特徴とする請求項１又は２に記載のシート給送装置。
【請求項４】
前記給紙トレイは、前記閉じた排紙トレイの上に折り畳んで閉じることが可能であることを特徴とする請求項３に記載のシート給送装置。
【請求項５】
前記給紙トレイを閉じた場合に、該給紙トレイが前記挿入口を覆うことを特徴とする請求項１乃至４のいずれか１項に記載のシート給送装置。
【請求項６】
前記挿入口が前記装置本体の上端部に設けられると共に前記排出口が前記装置本体の下端部に設けられ、
前記生体認証部は、前記装置本体の前面に対して水平方向に傾斜する傾斜面に設けられる指紋センサであることを特徴とする請求項１乃至５のいずれか１項に記載のシート給送装置。
【請求項７】
前記装置本体の前面には、前記傾斜面を含む凹部が設けられ、前記生体認証部は前記凹部内に設けられていることを特徴とする請求項６に記載のシート給送装置。
【請求項８】
前記装置本体には操作表示部が設けられ、
前記生体認証部は、前記操作表示部の側部近傍に配置されることを特徴とする請求項１乃至７のいずれか１項に記載のシート給送装置。
【請求項９】
装置本体の挿入口から挿入されるシートを搬送して前記装置本体の排出口から排出する搬送手段と、
前記搬送手段により搬送されるシートの画像を読み取る画像読取手段と、
前記装置本体に設けられる生体認証機器と、
前記挿入口に挿入されるシートを載置する給紙トレイと、前記排出口から排出されるシートを積載する排紙トレイの少なくとも１つのトレイとを有し、
前記少なくとも１つのトレイは、その端部が前記装置本体に対して開閉自在に設けられ、前記装置本体に対する閉状態で、前記生体認証部を覆うことを特徴とする画像読取装置。
【発明の詳細な説明】
【技術分野】
【０００１】
本発明は、挿入されるシートを給送して排出するシート給送装置及び画像読取装置に関し、特に、装置本体に指紋センサ等の生体認証機器が設けられたシート給送装置及び画像読取装置に関する。
【背景技術】
【０００２】
従来、シート給送装置としての画像読取装置として、例えば、ネットワークに直接接続されるネットワークスキャナが普及している。
【０００３】
この画像読取装置は、複数のクライアント端末が接続されたネットワークに対して、クライアント端末と同じような一端末として接続されるタイプのものであり、このような画像読取装置を共有して読み取った画像をメールで送信したり、他のクライアント端末に転送したりすることが可能である。
【０００４】
このように、ネットワークに接続された画像読取装置においては、読み取られた画像データは機密情報や個人情報などを含む可能性があり、画像データの取り扱いに関して、セキュリティ対策が必須とされている。
【０００５】
この為、一般的に、許可されたユーザ以外の不正アクセスを防止する為、ネットワークを介する画像データの送受信を許可するユーザを予め登録しておき、ログインする時には登録時に記憶されたパスワード等のユーザ固有の認証情報と照合し、ユーザ認証が行われている。
【０００６】
近年、ユーザ認証の手段として指紋センサを搭載し、ユーザ固有の認証情報として指紋情報を用いた装置も提案されている（特許文献１）。
【０００７】
この種の指紋センサには、従来より、スイープ型指紋センサが多く用いられている。スイープ型指紋センサは、ラインセンサに指先を当てて指をラインセンサの直角方向に動かすことにより指紋を読み取るものである。
【０００８】
図１２は、スイープ型指紋センサを搭載した従来のシート給送装置としての画像読取装置の概観を示す斜視図である。
【先行技術文献】
【特許文献】
【０００９】
【特許文献１】特開２００２−０３６６６３号公報
【発明の概要】
【発明が解決しようとする課題】
【００１０】
しかし、スイープ型指紋センサに埃や塵が積もる可能性があり、指紋の認識率が低下する可能性があった。
【００１１】
また、スイープ型指紋センサ１６０は、小型である為、装置に組み込んだ際の設置スペースを小さくすることが出来るという利点がある一方、スイープ型指紋センサで指紋を読み取るときは、指紋認証性向上のため、指紋センサの上を指の下端（第１関節）から上端（爪の先）まで直線等速運動で動かす必要がある。
【００１２】
特に、図１２に示す例では、スイープ型指紋センサ１６０が配置されるガイド面が、装置の外装前面部に対して傾斜して配置されている。スイープ型指紋センサのスイープ面を装置の外装前面部の傾斜面と同じ面にすると、指が動かしづらく、指を直線等速運動で動かすことができない。このため、傾斜面に凹部を設けてスイープ面を水平方向に倒して設け、指を動かし易くする必要がある。
【００１３】
しかし、傾斜面に凹部を設けて、スイープ型指紋センサのスイープ面を水平方向に倒して設けると、さらに、スイープ型指紋センサに埃や塵が積もる可能性があり、指紋の認識率がさらに低下する可能性があった。
なお、上述した問題は、上述した画像読取装置に限って発生するものではなく、生体認証機器を備えたシート搬送装置、その他のシート処理装置においても同様に発生するおそれがある。
【００１４】
本発明は、上記の問題点を解決するためになされたもので、本発明の目的は、装置本体の上面に設けられた指紋センサ等の生体認証機器への埃や塵の堆積を抑え、認識率の低下を抑えることができる仕組みを提供することである。
【課題を解決するための手段】
【００１５】
本発明は、装置本体の挿入口から挿入されるシートを搬送して前記装置本体の排出口から排出する搬送手段と、前記装置本体に設けられる生体認証部と、前記挿入口に挿入されるシートを載置する給紙トレイと、前記排出口から排出されるシートを積載する排紙トレイの少なくとも１つのトレイとを有し、前記少なくとも１つのトレイは、その端部が前記装置本体に対して開閉自在に設けられ、前記装置本体に対する閉状態で、前記生体認証部を覆うことを特徴とする。
【発明の効果】
【００１６】
本発明によれば、装置本体の上面に設けられた指紋センサ等の生体認証機器への埃や塵の堆積を抑え、認識率の低下を抑えることができる等の効果を奏する。
【図面の簡単な説明】
【００１７】
【図１】本発明のシート給送装置の実施例１を示す画像読取装置の構成を示す斜視図である。
【図２】本発明のシート給送装置の実施例１を示す画像読取装置の構成を示す斜視図である。
【図３】本発明のシート給送装置の実施例１を示す画像読取装置の構成を示す断面図である。
【図４】図１に示したスイープ型指紋センサ１６０を配置するガイド部１６１の構成を示す断面図である。
【図５】本発明のシート給送装置の実施例２を示す画像読取装置の構成を示す斜視図である。
【図６】図５に示した清掃部材１７０の構成を示す側面図である。
【図７】本発明のシート給送装置の実施例３を示す画像読取装置の構成を示す斜視図である。
【図８】本発明のシート給送装置の実施例３を示す画像読取装置の構成を示す斜視図である。
【図９】本発明のシート給送装置の実施例３を示す画像読取装置の構成を示す断面図である。
【図１０】本発明のシート給送装置の実施例４を示す画像読取装置の構成を示す斜視図である。
【図１１】図１０に示した清掃部材１７１の構成を示す側面図である。
【図１２】スイープ型指紋センサを搭載した従来のシート給送装置としての画像読取装置の概観を示す斜視図である。
【発明を実施するための形態】
【００１８】
以下、本発明を実施するための形態について図面を用いて説明する。
【実施例１】
【００１９】
図１、図２は、本発明のシート給送装置の実施例１を示す画像読取装置の構成を示す斜視図である。なお、図１は給紙トレイを開いた状態に対応し、図２は給紙トレイを閉じた状態に対応する。
【００２０】
また、図３は、本発明のシート給送装置の実施例１を示す画像読取装置の構成を示す断面図である。
【００２１】
図１〜図３において、１００は本実施例の画像読取装置としてのスキャナである。
【００２２】
スキャナ１００において、１１０は下部ユニット、１２０は上部ユニットである。上部ユニット１２０は、下部ユニット１１０の上に原稿Ｐの挿入口１４０を形成するように搭載される。
【００２３】
１３０は給紙トレイであり、挿入口１４０に挿入される原稿Ｐを載置するためのものである。原稿Ｐは、下端部を挿入口１４０に挿入した状態で、給紙トレイ１３０に表面を下向きにしてセットされる。
【００２４】
上部ユニット１２０には、液晶パネル等の表示装置を設けたフロントパネル（外装前面部）１２２が取り付けられている。フロントパネル１２２の上面には、タッチパネル１２３が配置されている。なお、表示装置やタッチパネル１２３は、直接フロントパネル１２２に取り付けられていなくてもよい。表示装置は、読み取りモードの設定や各種設定画面の表示を行うことが可能であり、タッチパネル１２３と共に本発明の操作表示部を構成して各種設定項目や読取動作の開始指示等を入力することが可能である。
【００２５】
フロントパネル１２２は、水平面に対してタッチパネル１２３の操作位置側に傾斜配置されており、タッチパネル１２３の操作面は、フロントパネル１２２の表面に対して略平行に配置されていることが好ましい。ただし、フロントパネル１２２の表面に沿う位置にタッチパネル１２３が配置されていれば十分であり、必要に応じてある程度の角度を持たせてもよい。
【００２６】
また、フロントパネル１２２には、生体認証機器としてのスイープ型指紋センサ１６０が配置されるガイド部１６１がタッチパネル１２３の側部近傍に位置して設けられている。
【００２７】
給紙トレイ１３０は、下部ユニット１１０に対して端部と端部が接するように配置され、且つ、給紙トレイ１３０の端部がその両側から下部ユニット１１０に設けられた回転支点部１１２で支持され、図２に示すように、上部ユニット１２０の上に折り畳み可能に構成される。さらに、給紙トレイ１３０を折り畳んだ場合に、図２に示すように、給紙トレイ１３０がスイープ型指紋センサ１６０と挿入口１４０を覆うように構成されている。なお、給紙トレイ１３０は、１３１でも折り畳み可能に構成してもよい。
【００２８】
図１〜図３に示すように、下部ユニット１１０は、原稿Ｐが排出される排出口１４１が設けられている。
【００２９】
また、樹脂成形等で形成された上部ユニット１２０と下部ユニット１１０との間には、直線状の搬送路１４２が表示装置と略平行になるように設けられている。
【００３０】
搬送路１４２には、給送ローラ２０１、分離ローラ２０２、搬送ローラ対２０３、及び、排紙ローラ対２０４が配設されている。また、搬送ローラ対２０３と排紙ローラ対２０４との間には、密着型イメージセンサ等で構成される画像読取部２１０、画像読取部２１１が配設されている。
【００３１】
下部ユニット１１０内の底部を覆う底板１９１は、回路基板１９２が固定されている。下部ユニット１１０の背面側は、背面カバー１１１により覆われている。
【００３２】
上記構成のスキャナ１００においては、給紙トレイ１３０上に積載された原稿Ｐは、給送ローラ２０１と分離ローラ２０２とによって１枚ずつ分離されて搬送ローラ対２０３へ給送される。また、原稿Ｐは、搬送ローラ対２０３によって画像読取部２１０及び画像読取部２１１へ一定速度で搬送され、画像読取部２１０で原稿Ｐの裏面の画像が読み取られ、続いて画像読取部２１１で原稿Ｐの表面の画像が読み取られる。その後、原稿Ｐは、排紙ローラ対２０４により排出口１４１から排出される。
【００３３】
なお、原稿Ｐは、紙に限られるものではなく、各種素材のシートを含むものとする。
【００３４】
図４は、図１に示したスイープ型指紋センサ１６０を配置するガイド部１６１の構成を示す断面図である。
【００３５】
図４に示すように、スイープ型指紋センサ１６０を配置するガイド部１６１は、スイープ面１６２、突き当て面１６３、及び、規制ガイド１６４，１６５を有している。
【００３６】
スイープ面１６２は、フロントパネル１２２に対して操作位置から見て奥側が該フロントパネル１２２から離れる方向に傾斜して配置され、指の腹を接触させた状態で、該指を付け根側の方向（Ｂ方向）へ移動可能に案内するガイド面とされている。
【００３７】
そして、スイープ面１６２の指の移動方向（Ｂ方向）に沿う位置には、スイープ型指紋センサ１６０が配置されている。なお、ガイド面としてのスイープ面１６２は、スイープ面１６２に沿う指の移動経路を略水平とするか、又は該移動経路の指の付け根側を高くするように形成されている。このように、傾斜面（フロントパネル１２２）に凹部のガイド部１６１を設けて、スイープ面を略水平等にすることで、指を動かし易くすることができる。
【００３８】
突き当て面１６３は、指の先端が突き当て可能とされており、該突き当て時に、スイープ面１６２での指の動作の初期位置を位置決めする。この突き当て面１６３を設けることにより、ユーザに指で撫でるべき範囲（指先を置く位置）を視覚的および触覚的に認識させることが可能である。
【００３９】
規制ガイド１６４，１６５は、指の左右の側部の位置を規制する。規制ガイド１６４は、指の右側部（図面手前側部）の位置を規制する。規制ガイド１６５は、指の左側部（図面奥側部）の位置を規制する。このように、ガイド部１６１は、指の移動方向（Ｂ方向）から見た断面が凹形状に形成されている。
【００４０】
このような構成の場合、スイープ型指紋センサ１６０により指紋を検出する際には、まず、指の先端を突き当て面１６３に突き当てて、スイープ面１６２での指の動作の初期位置を位置決めする。このとき、指の第１関節付近がスイープ型指紋センサ１６０のライン状の読取部１６６に位置するようになっており、この状態から指の腹をスイープ型指紋センサ１６０の読取部１６６に密着させたまま、スイープ面１６２に沿って指の付け根側の方向である矢印Ｂ方向に動かすことにより、動かした指の指紋が検出される。
【００４１】
検出された指紋情報は、回路基板１９２上の認証部（ＣＰＵ等）によって、予め不図示の記憶部に記憶させておいたユーザ固有の指紋情報と照合され、照合結果に基づいてユーザ認証が行われる。なお、上記認証部は、例えば、回路基板１９２上のＣＰＵが回路基板１９２上のＲＯＭに格納されるプログラムを読み出して実行することにより実現される機能である。
【００４２】
図２のように、スキャナ１００の未使用時は、給紙トレイ１３０が挿入口１４０とフロントパネル１２２、スイープ型指紋センサ１６０、及びそのガイド部１６１を覆うように閉じられる（折り畳まれる）。このように、給紙トレイ１３０が閉じられた場合（折り畳まれた場合）、挿入口１４０からのスキャナ装置内部への埃や塵等の異物混入、フロントパネル１２２やスイープ型指紋センサ１６０への埃や塵等の付着、ガイド部１６１への埃や塵等の堆積等を防止することが可能となる。これにより、埃や塵の堆積により、指紋センサの認識率が低下することを抑えることができ、ユーザの指紋認証を正確に行うことができる。
【００４３】
さらに、スキャナ１００に備えられている給紙トレイ１３０で、スイープ型指紋センサ１６０を覆い隠すので、余計な部品を追加しないで、低コストな防塵対策ができる。
【実施例２】
【００４４】
図５は、本発明のシート給送装置の実施例２を示す画像読取装置の構成を示す斜視図であり、図１と同一のものには同一の符号を付してある。
【００４５】
図５において、１７０は、スイープ型指紋センサ１６０及びガイド部１６１に積もった埃や塵を払い落とす清掃部材であり、給紙トレイ１３０に備えられている。
【００４６】
この清掃部材１７０は、給紙トレイ１３０を折り畳んだ場合にスイープ型指紋センサ１６０に対面する箇所に設けられている。
【００４７】
図６は、図５に示した清掃部材１７０の構成を示す側面図である。
【００４８】
図６のように、清掃部材１７０は、給紙トレイ１３０の面からθ度傾いた面を有し、スリット１８０を備えている。給紙トレイ１３０を収納した場合に（折り畳んだ場合に）、清掃部材１７０は、スイープ型指紋センサ１６０のスイープ面に先端１８１が当たり、先端１８１はスリット１８０が開いている方向とは逆方向に撓み、撓んだ力を利用してスイープ型指紋センサ１６０の上に溜まった埃や塵を払い落とすことが可能である。即ち、給紙トレイ１３０の開閉動作により清掃部材１７０がスイープ型指紋センサ１６０のスイープ面１６２（特に読取部１６６）をスイープ面１６２方向に摺接することにより、スイープ型指紋センサ１６０の上に溜まった埃や塵を払い落とすことが可能である。なお、上記θ度は、フロントパネル１２２の傾斜角と略同一であってもよい。
【００４９】
なお、清掃部材１７０は、例えば、スポンジやゴム等の素材を用いるが、清掃部材１７０の素材はこれらに限定されるものではない。接触したゴミ、埃、塵等の異物を吸着する粘着テープやジェル状素材等を、清掃部材１７０の先端１８１に付加した構成でもよい。
【００５０】
また、清掃部材１７０に空気を吐出するノズルを設け、このノズルから空気を吐出して、スイープ型指紋センサ１６０及びガイド部１６１に積もった埃や塵を吹き飛ばす構成であってもよい。
【００５１】
以上示したように、本実施例では、スイープ型指紋センサに溜まった埃や塵を清掃除去することができる。これにより、埃や塵の堆積により、指紋センサの認識率が低下することを抑えることができ、ユーザの指紋認証を正確に行うことができる。
【実施例３】
【００５２】
実施例３では、実施例１の構成に加えて、原稿の排出口１４１側に排紙トレイを取り付けたものである。
【００５３】
図７、図８は、本発明のシート給送装置の実施例３を示す画像読取装置の構成を示す斜視図である。なお、図７は給紙トレイ及び排紙トレイを開いた状態に対応し、図２は給紙トレイ及び排紙トレイを閉じた状態に対応する。
【００５４】
また、図９は、本発明のシート給送装置の実施例３を示す画像読取装置の構成を示す断面図である。
【００５５】
図７において、１５０は排紙トレイであり、排出口１４１から排出される原稿Ｐを載置するためのものである。
【００５６】
排紙トレイ１５０は、下部ユニット１１０に対して端部と端部が接するように配置され、且つ、排紙トレイ１５０の端部がその両側から下部ユニット１１０に設けられた回転支点部１１３で支持され、図８に示すように、上部ユニット１２０の上に折り畳み可能に構成される。さらに、排紙トレイ１５０を折り畳んだ場合に、排紙トレイ１５０がスイープ型指紋センサ１６０と挿入口１４０を覆うように構成されている。
【００５７】
スキャナ１００の使用時は、図７のように、外装カバーを構成する給紙トレイ１３０が開かれ、次に、排紙トレイ１５０が開かれる。スキャンすべき原稿は、給紙トレイ１３０の上に載置されて、通常のように紙送りがなされて、画像の読み取りが行われた後、排出口１４１から排紙トレイ１５０の上に排出される。
【００５８】
スキャナ１００の未使用時は、図８のように、先に排紙トレイ１５０が閉じられ（折り畳まれ）、次に給紙トレイ１３０を閉じる（排紙トレイ１５０の上に折り畳まれる）構成とする。給紙トレイ１３０を閉じたときに、排紙トレイ１５０の上面に隙間無く重ねられるよう構成される。
なお、給紙トレイ１３０の原稿載置面には、先に閉じた排紙トレイ１５０を収納するために排紙トレイ１５０の形状に対応した形状の凹部が設けられている。そして、図８のように、排紙トレイ１５０、給紙トレイ１３０の順にトレイを閉じた場合、閉じられた給紙トレイ１３０の上面（原稿載置面と反対の面）は、上部ユニット１２０及び下部ユニット１１０と連続した曲面形状を構成する。このような構成により、装置の側面側から排紙トレイ１５０が見えず、デザイン性を良くし、違和感の無いデザインとすることができる。また、使用しない場合に体積的な占有率を小さくして、圧迫感を避け得るだけでなく、シートの挿入口１４０等からの装置内部への埃の侵入や、指紋センサ１６０への埃の堆積を抑えることが可能となる。
【００５９】
本実施例においても、上述した実施例１と同様に、未使用時、給紙トレイ１３０と排紙トレイ１５０が閉じられることにより、挿入口１４０や排出口１４１からのスキャナ装置内部への埃や塵等の異物混入、フロントパネル１２２やスイープ型指紋センサ１６０への埃や塵等の付着、ガイド部１６１への埃や塵等の堆積等を防止することが可能となる。
【００６０】
図８のように、スキャナ１００の未使用時は、給紙トレイ１３０や排紙トレイ１５０が、挿入口１４０、フロントパネル１２２、スイープ型指紋センサ１６０、及びそのガイド部１６１を覆うように閉じられる（折り畳まれる）。このように、給紙トレイ１３０や排紙トレイ１５０が閉じられた場合（折り畳まれた場合）、挿入口１４０からのスキャナ装置内部への埃や塵等の異物混入、フロントパネル１２２やスイープ型指紋センサ１６０への埃や塵等の付着、ガイド部１６１への埃や塵等の堆積等を防止することが可能となる。これにより、埃や塵の堆積により、指紋センサの認識率が低下することを抑えることができ、ユーザの指紋認証を正確に行うことができる。
【００６１】
さらに、スキャナ１００に備えられている給紙トレイ１３０や排紙トレイ１５０で、スイープ型指紋センサ１６０を覆い隠すので、余計な部品を追加しないで、低コストな防塵対策ができる。
【実施例４】
【００６２】
図１０は、本発明のシート給送装置の実施例４を示す画像読取装置の構成を示す斜視図であり、図７と同一のものには同一の符号を付してある。
【００６３】
図１０において、１７１は、スイープ型指紋センサ１６０に積もった埃や塵を払い落とす清掃部材であり、排紙トレイ１５０に備えられている。
【００６４】
この清掃部材１７１は、排紙トレイ１５０を折り畳んだ場合にスイープ型指紋センサ１６０に対面する箇所に設けられている。
【００６５】
また、排紙トレイ１５０には、リブ１５１が備えられ、リブ１５１の高さは、清掃部材１７０よりも高く、且つ、リブ１５１の傾斜が原稿排出方向の上流から下流にかけて高くなるような構成である。したがって、原稿Ｐが排出口１４１から排出されたときに、原稿は清掃部材１７０に引っ掛かることがなく、排紙トレイに順次積載することが可能となる。
【００６６】
図１１は、図１０に示した清掃部材１７１の構成を示す側面図である。
【００６７】
図１１のように、清掃部材１７１は、排紙トレイ１５０の面からθ度傾いた面を有し、スリット１８２を備えている。排紙トレイ１５０を収納した場合に（折り畳んだ場合に）、清掃部材１７１は、スイープ型指紋センサ１６０のスイープ面に先端１８３が当たり、先端１８３はスリット１８２が開いている方向とは逆方向に撓み、撓んだ力を利用してスイープ型指紋センサ１６０の上に溜まった埃や塵を払い落とすことが可能である。即ち、排紙トレイ１５０の開閉動作により清掃部材１７１がスイープ型指紋センサ１６０のスイープ面１６２（特に読取部１６６）をスイープ面１６２方向に摺接することにより、スイープ型指紋センサ１６０の上に溜まった埃や塵を払い落とすことが可能である。なお、上記θ度は、フロントパネル１２２の傾斜角と略同一であってもよい。
【００６８】
なお、清掃部材１７１は、例えば、スポンジやゴム等の素材を用いるが、清掃部材１７１の素材はこれらに限定されるものではない。実施例２の清掃部材１７０と同様に、接触したゴミ、埃、塵等の異物を吸着する粘着テープやジェル状素材等を、清掃部材１７１の先端１８３に付加した構成でもよい。また、清掃部材１７１に空気を吐出するノズルを設け、このノズルから空気を吐出して、スイープ型指紋センサ１６０及びガイド部１６１に積もった埃や塵を吹き飛ばす構成であってもよい。
【００６９】
以上示したように、本実施例では、スイープ型指紋センサに溜まった埃や塵を清掃除去することができる。これにより、埃や塵の堆積により、指紋センサの認識率が低下することを抑えることができ、ユーザの指紋認証を正確に行うことができる。
【００７０】
なお、上記各実施例１〜４では、スイープ型指紋センサ１６０のスイープ面１６２が、フロントパネル１２２に対して操作位置から見て奥側が該フロントパネル１２２から離れる方向に傾斜して配置されている例を示した。しかし、スイープ型指紋センサ１６０のスイープ面１６２が、フロントパネル１２２（即ち、装置本体の前面）に沿って設けられていてもよい。  また、上記実施例１〜４では、生体認証機器の一例としてスイープ型指紋センサを装置本体の上面（フロントパネル１２２の上面に対応する）に設けた構成について示した。しかし、生体認証機器は、スイープ型指紋センサに限られるものではなく、他の指紋センサであってもよいし、指紋以外の人間の身体的特徴（生体器官）や行動的特徴（癖）等の情報を用いて行う生体認証機器であってもよい。例えば、掌形（手のひらの幅や、指の長さ等）、網膜（目の網膜の毛細血管のパターン）、虹彩（虹彩パターンの濃淡値のヒストグラム）、顔（眼鏡や顔の表情等）、静脈パターン、音声（声紋）、耳形、筆跡、キーストローク（キーボードの打鍵の速度やタイミングの癖）、リップムーブメント（発話時の唇の動きの癖）、まばたき（まばたきによる黒目領域の変化量）等の情報を用いる生体認証機器であってもよい。
【００７１】
なお、上記実施例３、４では、排紙トレイ１５０の上に給紙トレイ１３０を折り畳んで閉じる構成を示した。しかし、給紙トレイ１３０の上に排紙トレイ１５０を折り畳んで閉じる構成であってもよい。
【００７２】
また、上記実施例１、２では、給紙トレイ１３０を有する構成、上記実施例３、４では、給紙トレイ１３０及び排紙トレイ１５０を有する構成について示した。しかし、給紙トレイ１３０、排紙トレイ１５０のような開閉自在のトレイを少なくとも１つ有し、この開閉自在のトレイを閉じて、スイープ型指紋センサ１６０及びそのガイド部１６１を覆う構成であればよい。
なお、スイープ型指紋センサ等の生体認証部を給紙トレイや排紙トレイ以外の別カバーで覆うことも可能である。しかし、給紙トレイや排紙トレイで覆うことにより、生体認証部を覆う別カバー等の部品を新たに設ける必要がなく、部品点数を増やすことがない。また、装置の使用時には、少なくとも給紙トレイ又は排紙トレイ（或いは両方）を開かないと使用できないため、給紙トレイや排紙トレイの開動作を兼用して使用開始までの準備を軽減し、使用終了時は給紙トレイや排紙トレイを閉じることで、塵等の付着や堆積を防止できる。即ち、ユーザは、使用開始時や使用終了時に、生体認証部を覆う別カバーを開閉するといった余分な動作を行う必要がない。  また、上述した各図面では、装置１００本体の後方上部にシートの挿入口を設け、該挿入口から挿入されるシートを搬送して装置１００本体の前方下部に設けられた排出口から排出する例を図示した。しかし、本発明のシート給送装置は、挿入口を装置１００本体の後方上部、排出口を装置１００本体の前方下部に設けたものに限定されるものではない。例えば、本発明のシート給送装置は、挿入口から排出口までの搬送路が略水平に構成されるものであってもよい。
【００７３】
また、上記実施例１〜４では、本発明のシート給送装置の一例として画像読取装置（スキャナ）を示したが、画像読取装置（スキャナ）以外のシート給送装置に本発明を適用してもよい。例えば、本発明のシート給送装置をプリンタとしてもよい。
【００７４】
なお、上述した各実施例及びその変形例を組み合わせた構成も全て本発明に含まれるものである。
【産業上の利用可能性】
【００７５】
挿入口に挿入されたシートを給送して排出する機能を有するシート給送装置であれば、どのようなシート給送装置でも、本発明を適用できる。
【符号の説明】
【００７６】
１００    スキャナ
１１０    下部ユニット
１２０    上部ユニット
１２２    フロントパネル
１３０    給紙トレイ
１４０    挿入口
１４１    排出口
１５０    排紙トレイ
１６０    スイープ型指紋センサ
１７０，１７１    清掃部材
【図１】
2011073834.tif 000003
【図２】
2011073834.tif 000004
【図３】
2011073834.tif 000005
【図４】
2011073834.tif 000006
【図５】
2011073834.tif 000007
【図６】
2011073834.tif 000008
【図７】
2011073834.tif 000009
【図８】
2011073834.tif 000010
【図９】
2011073834.tif 000011
【図１０】
2011073834.tif 000012
【図１１】
2011073834.tif 000013
【図１２】
2011073834.tif 000014